(57)【要約】【課題】水平方向に伸縮させることで一度に多数の洗濯物等を干すことができるとともに、伸縮運動も軽快かつ円滑に行うことができるようにする。【解決手段】Ｘ字形に連結した２本のリンク４の端部を同じ構成の他のＸ字形リンク４の端部に連結してパンタグラフ状に構成した複数の伸縮部材１の各一方の端部を、それぞれほぼ水平の状態で垂直の壁体６の左右に配置し、各伸縮部材１の一方のリンク４の先端を上記壁体６側に回動可能でかつ移動不可能に取り付けて伸縮部材１の伸縮時に他方のリンク４の先端が上記壁体６に沿って移動するようにし、他方のリンク４の先端には回転ローラ１２を取り付けるとともに、上記複数の伸縮部材１を物干し竿５を介して連結した。【選択図】図１
2005143556.tif 000002
【特許請求の範囲】
【請求項１】
Ｘ字形に連結した２本のリンクの端部を同じ構成の他のＸ字形リンクの端部に連結してパンタグラフ状に構成した複数の伸縮部材の各一方の端部を、それぞれほぼ水平の状態でバルコニー、ベランダ等に設けられた垂直の壁体の左右に配置し、各伸縮部材の一方のリンクの先端を上記壁体側に回動可能でかつ移動不可能に取り付けて伸縮部材の伸縮時に他方のリンクの先端が上記壁体に沿って移動するようにし、他方のリンクの先端には回転ローラを取り付けるとともに、上記複数の伸縮部材を物干し竿を介して連結したことを特徴とする物干し装置。
【請求項２】
前記壁体側に前記伸縮部材を取り付けるためのベース部材を前記壁体の壁体面に沿うように設け、このベース部材に前記各伸縮部材の壁体側の端部に設けられた前記一方のリンクを回動可能でかつ移動不可能に取り付け、前記回転ローラを上記ベース部材の表面上を転動するように設けた、請求項１記載の物干し装置。
【請求項３】
前記ベース部材には、前記回転ローラを転動させるための転動板が形成され、この転動板の表面には、上記回転ローラに係合してその転動を規制する規制用凸部が形成されている、請求項２記載の物干し装置。
【発明の詳細な説明】
【技術分野】
【０００１】
本発明は、ベランダ、バルコニー等に伸縮自在に取り付けられる物干し装置に関する。
【背景技術】
【０００２】
濡れた洗濯物等をベランダ等で干すための物干し装置として、パンタグラフ式の伸縮アームを用いたものが知られている。
【０００３】
これは、天井から１対の伸縮アームを平行に配置し、その先端（下端）に物干し竿を取り付け、不使用時には伸縮アームを縮めておき、使用時に伸長させて物干し竿に洗濯物等を干すように構成されている（例えば、特許文献１参照）。
【０００４】
このように天井吊り下げ方式の伸縮アームは物干し竿は下端にしか取り付けることができないから、あまり多くの洗濯物等を干すことはできない。
【０００５】
そこで、１対の伸縮アームの一端を壁体側に取り付けて水平方向に伸縮できるようにし、伸縮アームに複数の物干し竿を取り付けたものも知られている（例えば、特許文献２参照）。
【０００６】
ところが、パンタグラフ式の伸縮アームを水平方向に伸縮させる方式では、各伸縮アームにおいて壁体側の端部の２本のリンクのうち１本は壁体側に固定され、他方は伸縮時に上下に移動するように構成されている。このため、移動する方の可動リンクの先端は壁体を擦るように移動するので、上記特許文献１又は２に示されたように、可動リンクの先端にピンを取り付ける一方、壁体側にピンを受けるための摺動溝を備えた受け部材を固定し、可動リンクの移動時に上記ピンが摺動溝を摺動するようにして摩擦抵抗を小さくすることが行なわれている。
【特許文献１】第２５４４８２５号実用新案登録公報
【特許文献２】特開平１−１１９２９７号公報
【発明の開示】
【発明が解決しようとする課題】
【０００７】
しかしながら、上記の構成では、ピンが移動する際、摺動溝の溝縁と擦れるので、このときの摺動抵抗も決して小さくはなく、伸縮運動を軽快、円滑に行ないにくい。また、壁体側にピンを受けるための受け部材を設けなければならず、コストも高くなるという問題があった。
【０００８】
本発明は上記問題点を解消し、水平方向に伸縮させることで一度に多数の洗濯物等を干すことができるとともに、伸縮運動も軽快かつ円滑に行うことができる物干し装置を提供することをその課題とする。
【課題を解決するための手段】
【０００９】
前記課題を解決するため、本発明に係る物干し装置は、Ｘ字形に連結した２本のリンクの端部を同じ構成の他のＸ字形リンクの端部に連結してパンタグラフ状に構成した複数の伸縮部材を左右に配置するとともに、各伸縮部材の一方の端部を垂直の壁体に配置し、その一方のリンクの先端を上記壁体側に回動可能でかつ移動不可能に取り付け、伸縮部材の伸縮時に上記壁体に沿って移動する他方のリンクの先端には壁体面ローラを取り付け、上記複数の伸縮部材を物干し竿を介して連結したことを特徴とする。
【発明の効果】
【００１０】
請求項１に係る発明によれば、伸縮部材が伸縮運動するとき、伸縮部材の一端のリンクのうち壁体に沿って移動するように構成されたリンクの先端には回転ローラが設けられているので、移動時の回転ローラと壁体の間の抵抗は非常に小さいから、伸縮部材の伸縮運動は非常に軽快で円滑に行なうことができる。
【００１１】
請求項２に係る発明によれば、伸縮部材がベース部材に取り付けられる構成としたので、壁体に特別の加工を施す必要がない。また、壁体が格子で構成されている場合にも、伸縮部材を取り付けることができる。さらに、一方のリンクの回転ローラはベース部材の表面上を転動するので、壁体が汚れることがない。
【００１２】
請求項３に係る発明によれば、転動板の表面には回転ローラに係合してその転動を規制する規制用凸部が形成されているので、伸縮部材が風などの影響により勝手に伸び縮みすることがなく、また左右の伸縮部材の長さを常に一定に保つことができる。
【発明を実施するための最良の形態】
【００１３】
図１は本発明に係る物干し装置の斜視図である。同図において符号１は伸縮部材であり、２はベース部材を示す。
【００１４】
伸縮部材１は、中間部でＸ字形に連結した２本のリンク４の端部を同じ構成の他のＸ字形リンク４の端部に回動自在に連結してパンタグラフ状に構成したものである。伸縮部材１は左右に配置され、両伸縮部材１の中間部を連結する連結棒５を介して一体に連結されている。これらの連結棒５は物干し竿を兼ねている。そして、左右両伸縮部材１の一端は２本のリンク４が開き、他端は閉じた構造になっている。また、上記一端はベース部材２に取り付けられている。
【００１５】
ベース部材２はベランダ、バルコニー等の壁、格子などによって構成されている垂直の壁体６に着脱自在に設けられたもので、左右両側に配置された縦形の取付部７を連結杆８で連結するとともに、取付部７の上部に係止フック９を設けた構造になっており、上記取付部７の上部には突出部１０が、その下方には転動板１１が形成され、上記係止フック９を壁体６に掛け、取付部７が壁面に沿って設けられるように構成されている。
【００１６】
ベース部材２の取付部７の突出部１０には、伸縮部材１の一端で開いた状態になっている２本のリンク４のうち一方のリンク（固定リンク４ａ）の先端が、連結杆８を介して回動可能でかつ移動不可能に取り付けられている。また、他方のリンク（可動リンク４ｂ）の先端には回転ローラ１２が取り付けられ、この回転ローラ１２はベース部材２の転動板１１上を転動可能に配置されている。
【００１７】
次に、上記構成の物干し装置を使用しないときは、先端の連結棒５を壁体６側におしこんでやればよい。両側の伸縮部材１は縮んで図２のように縮小する。このため、ベランダ、バルコニー等のスペースを大きく利用することができる。もちろん、物干し装置自体が邪魔であれば、係止フック９を外せば装置自体を除去することができる。
【００１８】
上記物干し装置を使用するときは、上記連結棒５を引っ張って縮小状態にある伸縮部材１を水平方向に伸長させる。これにより、連結棒５によって構成される物干し竿が図３及び図４に示されるように、一定の間隔をおいて水平に並ぶ。そこで、干し物を１３掛けて干せばよい。
【００１９】
ところで、上述のように伸縮部材１が伸縮運動するとき、リンク４の角度が変わる。壁体６側の端部のリンク４の場合、図２の縮小状態から図３の伸長状態に変化するとき、固定リンク４ａは取付部７の突出部１０に回動自在に取り付けられているが、上下に動くことはできないので、可動リンク４ｂが上下動する。このとき、可動リンク４ｂの先端には回転ローラ１２が設けられているので、回転ローラ１２が取付部７の転動板１１に沿って転動しながら上下動することになる。この上下動時の回転ローラ１２と転動板１１との間の抵抗は非常に小さいから、伸縮部材１の伸縮運動は非常に軽快で円滑に行なうことができる。
【００２０】
なお、伸縮部材１の端部は壁体６に直接に固定し、可動リンク４ｂの先端の回転ローラ１２は壁体６の表面（又は表面に取り付けられた転動板１１）を直接に転動するように構成してもよい。
【００２１】
また、図５に示されるように、取付部７の転動板１１の表面には、上記回転ローラ１２に係合してその転動を規制する規制用凸部１４、１５、１６を段状に形成するのが好ましい。これによれば、伸縮部材１が最も伸長した状態では回転ローラ１２は規制用凸部１４、１５の間に保持され、それ以上伸び又は縮むことはない。また、中間位置で保持したいときは、回転ローラ１２を規制用凸部１５、１６の間に位置させればよい。したがって、伸縮部材１が風などの影響により勝手に伸び縮みすることがなく、また左右の伸縮部材の長さを常に一定に保つことができる。
【図面の簡単な説明】
【００２２】
【図１】本発明に係る物干し装置の斜視図
【図２】上記物干し装置の縮小状態の側面図
【図３】上記物干し装置の伸長状態の側面図
【図４】上記物干し装置の使用状態を示す斜視図
【図５】取付部における回転ローラの転動規制の状態を示す説明図
【符号の説明】
【００２３】
１  伸縮部材
２  ベース部材
５  連結棒、物干し竿
１２  回転ローラ
【図１】
2005143556.tif 000003
【図２】
2005143556.tif 000004
【図３】
2005143556.tif 000005
【図４】
2005143556.tif 000006
【図５】
2005143556.tif 000007